(57)【特許請求の範囲】
【請求項１】
略方形体状をなし、長さ方向両端面には、底面部より開口部側に向かい大径とされる円盤状をなす係止用窪みが設けられたコンクリートブロックの吊り上げ反転装置であり、
前記吊り上げて反転すべきコンクリートブロック両端面に形成された前記円盤状の係止用窪みに嵌合する一対の円盤状をなす押さえ部を有した押さえ係止体と、
前記一対の円盤状をなす押さえ部を有した押さえ係止体を、回動可能に支持する支持部と、該支持部より略水平方向に延びる水平腕部とにより略Ｌ字状をなして形成された一対の挟持型アームと、
前記一対の挟持型アームの水平腕部と第１連結杆とを前記水平腕部の支持部側に設けた回動可能な軸支部を介して連結し、第１連結杆と水平保持杆とは、水平保持杆の長手方向両端側における回動可能な軸支部を介し、前記一対の挟持型アームが前記第１連結杆により回動可能となるよう設けられた水平保持杆と、
前記一対の挟持型アームを構成する各々の水平腕部及び前記水平保持杆とは第２連結杆の中間連結部及び後端連結部を介して回動可能に連結され、第２連結杆と水平吊り上げ杆とは回動可能な先端連結部を介して連結されて設けられた水平吊り上げ杆と、
を備え、
前記第２連結杆は、前記第１連結杆の取り付け位置より内側位置に、かつ第１連結杆と略平行にして取り付けられ、
前記押さえ係止体は、前記支持部先端側に水平腕部と平行方向に、各々対向するよう張り出して設けられ、
前記水平吊り上げ杆には水平方向に延出する長孔が設けられ、該長孔には第２連結杆の端部に設けられた先端連結部が水平方向移動可能に嵌合して、第２連結杆が連結されてなり、
コンクリートブロック吊り上げ時には、前記長孔の両側端部側に前記第２連結杆端部に設けられた先端連結部が移動すると共に、前記一対の挟持型アームにおける一対の押さえ係止体が、前記吊り上げて反転すべきコンクリートブロック両端面に形成された前記円盤状の係止用窪みの底面に前記押さえ部の上表面が接するよう移動し、
前記円盤状をなす係止用窪みを回転軸として前記コンクリートブロックを回転可能に吊り上げる、
ことを特徴とするコンクリートブロック吊り上げ反転装置。
【発明の詳細な説明】
【０００１】
【発明の属する技術分野】
本発明は、例えば、道路の両脇あるいはトンネルの両脇に敷設されて側溝を形成するスリット付き側溝用ブロックの上部に設置される境界ブロック等の略直方体状をなすコンクリートブロック等の吊り上げ反転装置に関するものである。
【従来の技術】
例えばスリット付き側溝用ブロックは、その上面側の外部と側溝用ブロック内部の水路等の機能をはたす中空路とは上面部に形成されたスリットにより連通されている。
【０００２】
この上面にスリットが設けられた側溝用ブロックは、近年急激に需要が増えており、例えばトンネル内車道の両脇に前記スリット付き側溝用ブロックを用いた側溝が形成され、敷設されることが多々見受けられる。
【０００３】
そして、降雨時においては、車道に流れ込んだ大量の雨水等が前記側溝に設けられたスリットから内部の中空路に流れ込むものとされている。
【０００４】
しかして、このスリット付き側溝の上には一般に境界ブロックと称される仕切り用のブロック部材が長手方向に設置されるのが常であり、この境界ブロックの大量数の必要性に鑑み、迅速、確実に生産できかつ安価な生産コストでの生産が要請されている。
【０００５】
ここで、前記境界ブロックは、断面略台形をなした直方体状のコンクリートブロックとして形成されているが、その形成に当たっては、断面略逆台形状をなした直方体状の型枠内にコンクリートを充填、固化し、かつ脱型して作成する。
【０００６】
しかして、この型枠からの脱型に当たっても上方に吊り上げて脱型しなければならないが、良好に脱型でき、また吊り上げて簡単に反転でき、スムーズに移送できる吊り上げ反転装置は提案されていないのが現状であった。
【発明が解決しようとする課題】
かくして、本発明は上記従来の課題に対処すべく創案されたものであり、例えば境界ブロックについて型枠から脱型する際においても、良好に脱型でき、また吊り上げて簡単に反転でき、スムーズに移送できる吊り上げ反転装置を提供することを目的とするものである。
【課題を解決するための手段】
本発明によるコンクリートブロック吊り上げ反転装置は、
略方形体状をなし、長さ方向両端面には、底面部より開口部側に向かい大径とされる円盤状をなす係止用窪みが設けられたコンクリートブロックの吊り上げ反転装置であり、
前記吊り上げて反転すべきコンクリートブロック両端面に形成された前記円盤状の係止用窪みに嵌合する一対の円盤状をなす押さえ部を有した押さえ係止体と、
前記一対の円盤状をなす押さえ部を有した押さえ係止体を、回動可能に支持する支持部と、該支持部より略水平方向に延びる水平腕部とにより略Ｌ字状をなして形成された一対の挟持型アームと、
前記一対の挟持型アームの水平腕部と第１連結杆とを前記水平腕部の支持部側に設けた回動可能な軸支部を介して連結し、第１連結杆と水平保持杆とは、水平保持杆の長手方向両端側における回動可能な軸支部を介し、前記一対の挟持型アームが前記第１連結杆により回動可能となるよう設けられた水平保持杆と、
前記一対の挟持型アームを構成する各々の水平腕部及び前記水平保持杆とは第２連結杆の中間連結部及び後端連結部を介して回動可能に連結され、第２連結杆と水平吊り上げ杆とは回動可能な先端連結部を介して連結されて設けられた水平吊り上げ杆と、
を備え、
前記第２連結杆は、前記第１連結杆の取り付け位置より内側位置に、かつ第１連結杆と略平行にして取り付けられ、
前記押さえ係止体は、前記支持部先端側に水平腕部と平行方向に、各々対向するよう張り出して設けられ、
前記水平吊り上げ杆には水平方向に延出する長孔が設けられ、該長孔には第２連結杆の端部に設けられた先端連結部が水平方向移動可能に嵌合して、第２連結杆が連結されてなり、
コンクリートブロック吊り上げ時には、前記長孔の両側端部側に前記第２連結杆端部に設けられた先端連結部が移動すると共に、前記一対の挟持型アームにおける一対の押さえ係止体が、前記吊り上げて反転すべきコンクリートブロック両端面に形成された前記円盤状の係止用窪みの底面に前記押さえ部の上表面が接するよう移動し、
前記円盤状をなす係止用窪みを回転軸として前記コンクリートブロックを回転可能に吊り上げる、
ことを特徴とするものである。
【発明の実施の形態】
以下、図に基づいて本発明に係るコンクリートブロック吊り上げ反転装置について説明する。
【０００７】
本発明による吊り上げ反転装置１は、一対の挟持型アーム２，２と水平保持杆３と、水平吊り上げ杆４とを有して構成される。
【０００８】
ここで一対の挟持型アーム２は吊り上げて反転すべきコンクリートブロックの長手方向両端面に形成された円状の係止用窪みに嵌合する略円盤状をなす押さえ係止体５と、該押さえ係止体５を回動可能にして支持する支持部６と、該支持部６より水平に延びる水平腕部７とを有して構成されている。
【０００９】
すなわち一対の挟持型アーム２は支持部６と水平腕部７とにより略Ｌ字状をなして形成され、かつ支持部６の先端側では前記押さえ係止体５が水平腕部７と同様の方向に張り出して取り付けられている。
【００１０】
また、水平保持杆３と一対の挟持型アーム２，２とは第１連結杆８を介して回動可能に連結されている。
【００１１】
すなわち、一対の挟持型アーム２，２における水平腕部７，７の支持部６側両端部に軸支部９，９が設けられ、また水平保持杆３の長手方向両端部側に軸支部９，９が設けられて、前記水平保持杆３と一対の挟持型アーム２，２が回動可能に連結されている。
【００１２】
次に水平吊り上げ杆４は図１，図２から理解されるように、水平に延びる板状部材で構成され、その中間位置の上側には吊り上げ用のフック部１０が設けられている。
また、水平吊り上げ杆４の長手方向には水平方向に延びる操作用長孔１１が設けられており、該操作用長孔１１に一対の第２連結杆１２，１２の先端連結部１６，１６が前記操作用長孔１１の長孔方向に移動できるよう支持されており、かつ第２連結杆１２，１２の略中間に位置する中間連結部１７，１７が水平保持杆３と回動可能に連結され、さらに後端側では、後端連結部１８，１８が一対の挟持型アーム２，２における水平腕部７，７先端側と回動可能に連結されている。以上において、本発明による吊り上げ反転装置１の使用状態につき説明する。
【００１３】
ここで、本発明の吊り上げ反転装置１で吊り上げ反転されるコンクリートブロックとしては、まず第１にいわゆる境界ブロック１３と称されるものがあげられる。
【００１４】
該境界ブロック１３は図３，図４から理解されるように、断面略台形状の直方体状をなして形成されるが、該境界ブロック１３を作成する型枠は脱型しやすいよう断面逆台形状の直方体状に枠組みされる。ここで図３で示す型枠装置１４は境界ブロック１３を２個作成できる型枠装置１４とされている。
そして、このように枠組みされた型枠装置１４内にコンクリートが充填され、一定期間養生させて前記コンクリートを固化させる。
【００１５】
その後、長手方向両端側の外型枠を開き、境界ブロック１３の長手方向両端面に形成された係止用窪み１５，１５に水平腕部７の先端に取り付けられた押さえ係止体５，５を嵌合させ、その状態から吊り上げ反転装置１の水平吊り上げ杆４中間に設けられたフック部１０を上方に吊り上げる。
【００１６】
すると、図２に示すように第２連結杆１２，１２の先端連結部１６，１６が水平吊り上げ杆４の操作用長孔１１内を図２に示すように移動し、前記操作用長孔１１の端部側に位置することになる。
【００１７】
これにより第２連結杆１２，１２と第１連結杆８，８はそれぞれ境界ブロック１３の長手方向中央側へ移動する力が働き、もって一対の水平腕部７，７により境界ブロック１３は上方へ吊り上げられ、型枠装置１４より脱型される。
その後、吊り上げられた境界ブロック１３はその長手方向両端面に設けられた係止用窪み１５，１５を回転軸として１８０度回転させ、いわゆる逆向きの状態から正常な状態にされて並べられる。
【発明の効果】
かくして本発明は以上の構成よりなる。
【００１８】
そして、本発明によるコンクリートブロック吊り装置であれば、境界ブロック等コンクリートブロック作製時において型枠装置から脱型する際においても、良好に脱型作業が行え、また吊り上げて簡単に一回転反転させることによりスムーズに正規の状態で設置できるとの優れた効果を奏する。
【図面の簡単な説明】
【図１】本発明によるコンクリートブロック吊り装置の概略構成を説明する構成説明図（その１）である。
【図２】本発明によるコンクリートブロック吊り装置の概略構成を説明する構成説明図（その２）である。
【図３】境界ブロックを作製する状態を説明する構成説明図である。
【図４】境界ブロックの説明図である。
【符号の説明】
１    吊り上げ反転装置
２    挟持型アーム
３    水平保持杆
４    水平吊り上げ杆
５    押さえ係止体
６    支持部
７    水平腕部
８    第１連結杆
９    軸支部
１０    フック部
１１    操作用長孔
１２    第２連結杆
１３    境界ブロック
１４    型枠装置
１５    係止用窪み
１６    先端連結部
１７    中間連結部
１８    後端連結部
【図１】
0004073716.tif 000002
【図２】
0004073716.tif 000003
【図３】
0004073716.tif 000004
【図４】
0004073716.tif 000005